(57)【要約】【課題】ランヤードが連結状態の安全帯を装着したままであっても、容易に着脱可能な衣服を提供する。【解決手段】着用者の背中を覆う背面部３０が、着用者の肩及び首回りを覆うヨーク部３１と、縫合部３２を介してヨーク部３１の下部３１ａに連結された後身頃部３３と、を備えている。そして、縫合部３２は、身幅方向に延在すると共に、ヨーク部３１と後身頃部３３とを縫合しない非縫合領域３２ｃを有している。さらに、ヨーク部３１は、非縫合領域３２ｃに対応する位置に上端部から下端部まで通じる切れ目３１ｂが形成されると共に、切れ目３１ｂを開閉自在に係止する第２スライドファスナー３４を有する構成とした。【選択図】図２
2019094587.tif 000002
【特許請求の範囲】
【請求項１】
着用者の背中を覆う背面部が、前記着用者の肩及び首回りを覆うヨーク部と、縫合部を介して前記ヨーク部の下部に連結された後身頃部と、を備え、
前記縫合部は、身幅方向に延在すると共に、前記ヨーク部と前記後身頃部とを縫合しない非縫合領域を有し、
前記ヨーク部は、前記非縫合領域に対応する位置に上端部から下端部まで通じる切れ目が形成されると共に、前記切れ目を開閉自在に係止する係止手段を有する
ことを特徴とする衣服。
【請求項２】
請求項１に記載された衣服において、
前記係止手段は、一対のファスナーストリンガーと、前記一対のファスナーストリンガーの対向縁に沿って移動するスライダーと、を有し、前記一対のファスナーストリンガーに横引き力を加えたとき、一方のファスナーストリンガーが前記スライダーから分離されるクイックオープン式スライドファスナーによって構成されている
ことを特徴とする衣服。
【請求項３】
請求項１又は請求項２に記載された衣服において、
前記ヨーク部は、前記切れ目の近傍の上部位置に、少なくとも一部が前記ヨーク部の縁部から突出する補助脱衣具が設けられている
ことを特徴とする衣服。
【請求項４】
請求項１から請求項３のいずれか一項に記載された衣服において、
前記着用者の胸及び腹を覆う前面部にポケットを設け、
フックが着脱可能に引っ掛けられるフック掛け部が、前記ポケットから出し入れ可能に設けられている
ことを特徴とする衣服。
【請求項５】
請求項１から請求項４のいずれか一項に記載された衣服において、
前記後身頃部の上端縁には、前記非縫合領域に対応する位置に、裾側にへこんだ切欠部が形成されている
ことを特徴とする衣服。
【発明の詳細な説明】
【技術分野】
【０００１】
本発明は、安全帯を装着した状態で着用される衣服に関するものである。
【背景技術】
【０００２】
従来、安全帯を装着した状態で着用するため、安全帯のランヤードを挿通可能な開口部が着用者の背中を覆う背面部に形成された衣服が知られている（例えば、特許文献１〜特許文献３参照）。また、近年、安全基準の改定に伴って、安全帯の着用が義務付けられる高所が２ｍと引き下げられたことで、背面部にランヤードを挿通可能な衣服は、高所作業現場だけでなく製鉄業、溶接作業等の作業者からも要望が高まってきている。
【先行技術文献】
【特許文献】
【０００３】
【特許文献１】実用新案登録第３１９７２００号
【特許文献２】実用新案登録第３２１１０６３号
【特許文献３】実用新案登録第３２１０５５１号
【発明の概要】
【発明が解決しようとする課題】
【０００４】
ところで、安全帯は、着用者の体に装着するベルト部に対してランヤードを取り外すことができるタイプと、ベルト部とランヤードとが外れないように連結されているタイプとがある。
【０００５】
ランヤードがベルト部から外れないタイプの安全帯を装着した状態で従来の衣服を着用するには、衣服を着用する前にあらかじめ安全帯のランヤードを開口部に挿通する。そして、開口部に挿通されたランヤードが抜けないように注意しながら衣服を着用する。また、衣服を脱ぐときにも、まず開口部からランヤードを引き抜いておく必要がある。一方、ランヤードがベルト部から外せるタイプの安全帯を装着した状態で従来の衣服を着用するには、着用者は、ベルト部からランヤードを外しておき、予めランヤードが連結していないベルト部を装着する。そして、衣服を着用した後、開口部にランヤードを挿通し、着用状態の衣服の中でランヤードをベルト部に連結する。また、衣服を脱ぐときにも、衣服を着ている状態で先にランヤードをベルト部から外しておく。そして、開口部からランヤードを引き抜いてから、衣服を脱ぐ。
つまり、従来の衣服では、衣服の着脱の前にランヤードの挿通、引き抜きといった作業が必要になり、手間や時間がかかるという問題があった。また、ランヤードの取り外しができるタイプでは、ランヤードを連結、取り外しといった作業も行う必要があり、着脱にさらに手間がかかっていた。
【０００６】
さらに、溶接作業時などに衣服に着火した場合や、転落等による安全帯の緊張で衣服の襟元が引っ張られた場合などの非常時においても、衣服の脱衣を速やかに行いにくいという点は問題であった。
【０００７】
本発明は、上記問題に着目してなされたもので、ランヤードが連結状態の安全帯を装着したままであっても、容易に着脱可能な衣服を提供することを目的とする。
【課題を解決するための手段】
【０００８】
上記目的を達成するため、本発明の衣服は、着用者の背中を覆う背面部が、前記着用者の肩及び首回りを覆うヨーク部と、縫合部を介して前記ヨーク部の下部に連結された後身頃部と、を備えている。そして、前記縫合部は、身幅方向に延在すると共に、前記ヨーク部と前記後身頃部とを縫合しない非縫合領域を有している。また、前記ヨーク部は、前記非縫合領域に対応する位置に上端部から下端部まで通じる切れ目が形成されると共に、前記切れ目を開閉自在に係止する係止手段を有している。
【発明の効果】
【０００９】
すなわち、本発明では、ヨーク部が切れ目によって左右に分割され、この切れ目が係止手段により開閉自在に係止される。これにより、衣服の着脱時に切れ目からヨーク部を開いておくことで、ランヤードやランヤードをベルト部に連結するための連結具が背面部に引っ掛かることがない。このため、衣服を円滑に着脱することができる。一方、衣服を着用した状態では、係止手段によって切れ目を閉鎖しておくことで左右に分割したヨーク部を一体化することができ、一般的な衣服のような外観にすることができる。また、縫合部に設けた非縫合領域により、ヨーク部と後身頃部との間に隙間を生じさせることができるので、切れ目を閉鎖しても、この非縫合領域によって生じた隙間からランヤードを外部に引き出しておくことができる。この結果、ランヤードが連結状態の安全帯を装着したままであっても、衣服を容易に着脱することができる。
さらに、手で切れ目を分離したり、安全帯の緊張によって切れ目が分離することで衣服を脱ぐことが可能であり、非常時にも素早く脱ぐことを可能とする。
【図面の簡単な説明】
【００１０】
【図１】実施例１の衣服の前面部を示す平面図である。
【図２】実施例１の衣服の背面部を示す平面図である。
【図３】（ａ）は、フック掛け部がポケットから出ているときの平面図であり、（ｂ）は、フック部をポケットに収容したときの平面図である。
【図４】（ａ）は、ヨーク部の右半分を開いた状態を示す平面図であり、（ｂ）は、ヨーク部の左右を開いた状態を示す平面図である。
【図５】実施例２の衣服の背面部を示す平面図である。
【図６】実施例２の衣服の前面部を開いた状態を示す平面図である。
【発明を実施するための形態】
【００１１】
以下、本発明の衣服を実施するための形態を、図面に示す実施例１及び実施例２に基づいて説明する。
【００１２】
（実施例１）
まず、実施例１における衣服の構成を図１から図４に基づいて説明する。
実施例１の衣服１０は、図１及び図２に示すように、着用者が上半身に着る上着（ジャンパー）であり、綿や化繊等で織られた布や、不織布等からなる生地によって形成されている。なお、衣服１０を形成する生地は、伸縮性や通気性、難燃性等の任意の性質を有していてもよい。この衣服１０は、着用者の胴体の前側（胸部及び腹部）を覆う前面部２０と、着用者の背中を覆う背面部３０と、着用者の腕を覆う一対の袖１１，１１と、襟１２と、を有している。
【００１３】
前面部２０は、図１に示すように、身幅方向の中央部から左右に分かれる右前身頃部２１及び左前身頃部２２と、右前身頃部２１と左前身頃部２２の間を開閉自在に係止する第１スライドファスナー２３と、を備えている。なお、第１スライドファスナー２３は、左前身頃部２２に設けられたフラップ２２ａによって覆われている。また、右前身頃部２１及び左前身頃部２２には、それぞれ胸ポケット２４とメインポケット２５とが設けられている。さらに、この右前身頃部２１及び左前身頃部２２には、それぞれフック掛け部２６とベルト通し穴２７とが形成されている。
【００１４】
胸ポケット２４は、着用者の胸部に対向する位置に設けられたポケットであり、右前身頃部２１及び左前身頃部２２の表面にポケット布を縫い付けることで形成されている。また、この胸ポケット２４の上側には、開口２４ａを覆うフラップ２４ｂが設けられている。
【００１５】
メインポケット２５は、着用者の腹部に対向する位置に設けられたポケットである。このメインポケット２５は、右前身頃部２１及び左前身頃部２２に切込みを形成すると共に、袋状のポケット袋（不図示）の開口縁部を切込みの内側に縫い付けることで形成されている。
【００１６】
フック掛け部２６は、衣服１０の着用者が装着した安全帯（不図示）のランヤードＬの先端に取り付けられたフックＦが着脱可能に引っ掛けられるものである（図３（ａ）参照）。なお、図３では、左前身頃部２２に設けたフック掛け部２６のみ示すが、右前身頃部２１にも同様のフック掛け部２６が設けられている。
フック掛け部２６は、フックＦが掛けられるＤ環２６ａと、このＤ環２６ａを右前身頃部２１に取り付けるベルト部２６ｂと、を有している。ここで、ベルト部２６ｂは、Ｄ環２６ａに挿通された状態で中間部が折り曲げられると共に、上端部２６ｃが右前身頃部２１に縫い付け固定されている。また、この実施例１では、ベルト部２６ｂの上端部２６ｃは、胸ポケット２４の開口２４ａとフラップ２４ｂとの間に固定されて垂れ下がり、折り曲げられた中間部及びＤ環２６ａが胸ポケット２４から出し入れ可能になっている（図３（ｂ）参照）。なお、ベルト部２６ｂは、胸ポケット２４から出したとき、フラップ２４ｂで覆われる領域からＤ環２６ａを露出させる長さに設定されている（図１参照）。
【００１７】
ベルト通し穴２７は、衣服１０の着用者が装着したフルハーネス型の安全帯（不図示）の胸ベルトＢを挿通する部分である（図３（ａ）参照）。なお、図３では、左前身頃部２２に設けたベルト通し穴２７のみ示すが、右前身頃部２１にも同様のベルト通し穴２７が設けられている。また、「フルハーネス型の安全帯」とは、着用者の両肩にそれぞれ巻回する肩ベルト、腰に巻回する腰ベルト、両腿のそれぞれに巻回する腿ベルト有し、これらのベルト部を連結することで、墜落阻止時に身体が受ける衝撃荷重を全身に分散することができるものである。このフルハーネス型の安全帯では、肩ベルトが着用者の肩から抜けることを防止するため、一対の肩ベルトのそれぞれに胸ベルトを設け、着用者の胸の前側で胸ベルトを連結することが一般的に行われている。
【００１８】
図３（ａ）に示すベルト通し穴２７は、胸ポケット２４の身幅方向中央側の側縁に沿って、左前身頃部２２に形成された切込みによって形成されている。このベルト通し穴２７は、縦方向に延在され、胸ベルトＢ及び胸ベルトＢの先端に設けられたバックル（不図示）を挿通可能な幅（開口長さ）に設定されている。また、このベルト通し穴２７の内側には、図示しない見返し布が縫合されており、ベルト通し穴２７の周縁が補強されている。
【００１９】
第１スライドファスナー２３は、一対の前側ファスナーストリンガー２３ａ，２３ｂと、この一対の前側ファスナーストリンガー２３ａ，２３ｂの対向縁に沿って移動するスライダー２３ｃと、を有している。ここで、各前側ファスナーストリンガー２３ａ，２３ｂは、それぞれ右前身頃部２１又は左前身頃部２２の対向縁部に固定されたファスナーテープ２３ｄと、ファスナーテープ２３ｄの長さ方向に一定間隔で設けられた多数のエレメント２３ｅと、有している。なお、エレメント２３ｅは、ここでは、通常エレメント及び停止エレメントを包含する用語として用いる。
【００２０】
そして、この第１スライドファスナー２３では、スライダー２３ｃを引き上げると、このスライダー２３ｃに形成されたテープ挿通路（不図示）にファスナーテープ２３ｄが挿通案内され、対向するエレメント２３ｅ同士が噛み合って、一対の前側ファスナーストリンガー２３ａ，２３ｂが連結する。また、スライダー２３ｃを引き下げると、エレメント２３ｅの噛み合い状態が解除され、一対の前側ファスナーストリンガー２３ａ，２３ｂが分離する。
【００２１】
また、この第１スライドファスナー２３は、スライダー２３ｃが可撓性を有するクイックオープン式スライドファスナーである。すなわち、一対の前側ファスナーストリンガー２３ａ，２３ｂに横引き力を加えたとき、エレメント２３ｅがスライダー２３ｃのテープ挿通路を押し開いて拡幅させる。これにより、エレメント２３ｅの噛み合いを解除させ、一方の前側ファスナーストリンガー２３ａがスライダー２３ｃから分離されて、一対の前側ファスナーストリンガー２３ａ，２３ｂを分離することができる。
【００２２】
背面部３０は、図２に示すように、着用者の肩及び首回りを覆うヨーク部３１と、縫合部３２を介してヨーク部３１の下部３１ａに連結された後身頃部３３と、を備えている。なお、ヨーク部３１の上端縁には、襟１２が縫い付け固定されている。
【００２３】
ここで、縫合部３２は、身幅方向に延びる縫い目であり、ヨーク部３１と後身頃部３３との間に見返し布３６（図４（ａ）及び図４（ｂ）参照）を挟み込んだ状態で、ヨーク部３１の下部３１ａと後身頃部３３の上部３３ａを縫い合わせている。なお、この実施例１では、後身頃部３３の上部３３ａの上側に、ヨーク部３１の下部３１ａを重ねている。また、縫合部３２は、ここではヨーク部３１の下端縁に沿った第１縫い目３２ａと、後身頃部３３の上端縁に沿った第２縫い目３２ｂと、を有している。
【００２４】
さらに、この縫合部３２は、身幅方向の中央部に、ヨーク部３１に対して後身頃部３３を縫合しない非縫合領域３２ｃが設けられている。この非縫合領域３２ｃにより、ヨーク部３１と後身頃部３３との間には隙間が生じている。また、ここで、後身頃部３３の表側にヨーク部３１を重ねているので、非縫合領域３２ｃによって生じた隙間は、ヨーク部３１によって覆われている。さらに、この非縫合領域３２ｃの両側には、第１縫い目３２ａの端部と第２縫い目３２ｂの端部との間をつなぎ、身丈方向に延びて、ヨーク部３１を後身頃３３に縫合する一対の第３縫い目３２ｄが設けられている。
【００２５】
そして、ヨーク部３１は、非縫合領域３２ｃに対応する（重なる）位置（ここでは、身幅方向の中央部）に、上端部から下端部まで通じる切れ目３１ｂが形成されている。すなわち、ヨーク部３１は、図４（ｂ）に示すように、この切れ目３１ｂにより、身幅方向の中央部から左右に分かれる右ヨーク部３１ｃ及び左ヨーク部３１ｄに分割可能になっている。なお、切れ目３１ｂは、ヨーク部３１の上端部に縫い付け固定された襟１２にも連続して形成されている。そのため、右ヨーク部３１ｃ及び左ヨーク部３１ｄと共に、襟１２も左右に分割可能になっている。
【００２６】
さらに、このヨーク部３１は、切れ目３１ｂを開閉自在に係止する第２スライドファスナー３４（係止手段）と、スナップボタン３５（係止手段）と、を有している。第２スライドファスナー３４は、右ヨーク部３１ｃと左ヨーク部３１ｄの間を開閉自在に係止し、スライダー３４ｃが可撓性を有するクイックオープン式スライドファスナーである。すなわち、この第２スライドファスナー３４は、一対の後側ファスナーストリンガー３４ａ，３４ｂと、この一対の後側ファスナーストリンガー３４ａ，３４ｂの対向縁に沿って移動するスライダー３４ｃと、を有している。ここで、各後側ファスナーストリンガー３４ａ，３４ｂは、それぞれ右ヨーク部３１ｃ及び左ヨーク部３１ｄの対向縁部に固定されたファスナーテープ３４ｄと、ファスナーテープ３４ｄの長さ方向に一定間隔で設けられた多数のエレメント３４ｅと、有している。なお、エレメント３４ｅは、ここでは、通常エレメント及び停止エレメントを包含する用語として用いる。
【００２７】
そして、この第２スライドファスナー３４では、スライダー３４ｃを引き上げると、このスライダー３４ｃに形成されたテープ挿通路（不図示）にファスナーテープ３４ｄが挿通案内され、対向するエレメント３４ｅ同士が噛み合って、一対の後側ファスナーストリンガー３４ａ，３４ｂが連結する。また、スライダー３４ｃを引き下げると、エレメント３４ｅの噛み合い状態が解除され、一対の後側ファスナーストリンガー３４ａ，３４ｂが分離する。
【００２８】
さらに、この第２スライドファスナー３４では、一対の後側ファスナーストリンガー３４ａ，３４ｂに横引き力を加えたとき、エレメント３４ｅがスライダー３４ｃのテープ挿通路を押し開いて拡幅させる。これにより、エレメント３４ｅの噛み合いを解除させ、一方の後側ファスナーストリンガー３４ａがスライダー３４ｃから分離されて、一対の後側ファスナーストリンガー３４ａ，３４ｂを分離する。これにより、連結状態にある一対の後側ファスナーストリンガー３４ａ，３４ｂを、速やかに分離させることができる。
【００２９】
一方、スナップボタン３５は、襟１２に形成された切れ目３１ｂを開閉自在に係止し、雄ボタン３５ａと雌ボタン３５ｂとを押し合わせて係止し、縦引き力を加えることで解除できる。ここでは、襟１２の上端部近傍位置に配置された上側ボタン３５ｃと、襟１２の下端部近傍位置に配置された下側ボタン３５ｄと、を有している。
【００３０】
また、上側ボタン３５ｃには、リング状の補助脱衣具３７が設けられている。この補助脱衣具３７は、上側ボタン３５ｃを係止した際、表面側に位置する雄ボタン３５ａの表面に固定され、少なくとも一部がヨーク部３１の縁部（ここではヨーク部３１の上端部に縫い付け固定された襟１２の端部）から突出している。
【００３１】
次に、実施例１の衣服１０の作用を説明する。
実施例１の衣服１０は、着用者が安全帯を装着した状態で、安全帯の上から着用する。すなわち、この衣服１０を着用するときには、まず、着用者は、ランヤードＬが連結した状態の安全帯を装着する。一方、衣服１０は、第２スライドファスナー３４のスライダー３４ｃを引き下げると共に、スナップボタン３５の上側ボタン３５ｃ及び下側ボタン３５ｄをいずれも外し、図４（ｂ）に示すように、ヨーク部３１と襟１２を切れ目３１ｂから左右に開いておく。なお、このとき、前面部２０も第１スライドファスナー２３によって開いておく。
【００３２】
そして、着用者は、ヨーク部３１及び襟１２を左右に開いたまま、袖１１，１１に腕を通し、衣服１０を着る。衣服１０を着たら、まず、右ヨーク部３１ｃ及び左ヨーク部３１ｄを合わせる。そして、スライダー３４ｃを引き上げ、第２スライドファスナー３４を閉じることで、ヨーク部３１に形成された切れ目３１ｂを閉鎖する。続いて、スナップボタン３５の上側ボタン３５ｃ及び下側ボタン３５ｄを係止して、襟１２に形成された切れ目３１ｂを閉鎖する。最後に、第１スライドファスナー２３を閉じる。
【００３３】
また、実施例１の衣服１０を脱ぐときには、着用者は、まず、スナップボタン３５の上側ボタン３５ｃ及び下側ボタン３５ｄを外す。続いて、第２スライドファスナー３４のスライダー３４ｃを引き下げて、第２スライドファスナー３４を開き、ヨーク部３１と襟１２を切れ目３１ｂから左右に開く。さらに、第１スライドファスナー２３のスライダー２３ｃを引き下げて前面部２０も開く。そして、ヨーク部３１及び襟１２を左右に開いたまま、袖１１，１１から腕を引き抜いて衣服１０を脱ぐ。
【００３４】
このように、ヨーク部３１及び襟１２を左右に開いていることで、着用者は、ランヤードＬが連結された安全帯を装着した状態であっても、ランヤードＬやこのランヤードＬをベルト部に連結する連結具が背面部３０に引っ掛かることなく衣服１０の着脱を行うことができる。これにより、衣服１０の着脱時に、ランヤードＬの付け外しや、背面部３０に形成された開口部にランヤードＬを挿通したり、開口部から引き抜いたりする作業が不要になり、ランヤードＬが連結状態の安全帯を装着したままであっても衣服１０を容易に着脱することができる。
【００３５】
また、この実施例１では、右ヨーク部３１ｃと左ヨーク部３１ｄの間を開閉自在に係止する第２スライドファスナー３４が、一対の後側ファスナーストリンガー３４ａ，３４ｂに横引き力を加えたとき、エレメント３４ｅがスライダー３４ｃのテープ挿通路を押し開いて拡幅させ、一方の後側ファスナーストリンガー３４ａがスライダー３４ｃから分離させるクイックオープン式スライドファスナーによって構成されている。また、襟１２には、開閉可能に係止する係止手段として、縦引き力を加えることで係合が解除されるスナップボタン３５が設けられている。
【００３６】
そのため、着用者は、ヨーク部３１や襟１２の一部を掴んで引っ張ることで、第２スライドファスナー３４やスナップボタン３５を容易に外すことができ、背面部３０に形成された切れ目３１ｂを速やかに開くことができる。つまり、着用者は、スライダー３４ｃを引き下げることなく、衣服１０をさらに容易に脱ぐことができる。
【００３７】
しかも、この実施例１では、前面部２０の右前身頃部２１と左前身頃部２２の間を開閉自在に係止する第１スライドファスナー２３も、一対の前側ファスナーストリンガー２３ａ，２３ｂに横引き力を加えることで、一方の前側ファスナーストリンガー２３ａがスライダー２３ｃから分離させるクイックオープン式スライドファスナーによって構成されている。
そのため、例えば、衣服１０に着火したとき等の非常時であっても、ランヤードＬやランヤードＬをベルト部に連結する連結具が衣服１０に引っかかることなく、速やかに衣服１０を脱ぐことができる。
【００３８】
また、この実施例１では、ヨーク部３１が、切れ目３１ｂの近傍の上部位置に、少なくとも一部がヨーク部３１の縁部から突出する補助脱衣具３７が設けられている。これにより、着用者は補助脱衣具３７を掴んで引っ張ることで、第２スライドファスナー３４やスナップボタン３５に対して適切な力を作用させることができ、これらを容易に外すことができる。
【００３９】
また、着用者が衣服１０を着たときには、切れ目３１ｂを閉鎖することで、左右に分離した右ヨーク部３１ｃ及び左ヨーク部３１ｄと襟１２をいずれも一体化し、図２に示すように一般的な衣服のような外観にすることができる。これにより、着用者は、安全帯を装着していないときであっても、衣服１０を違和感なく着用することができる。なお、この実施例１では、第２スライドファスナー３４が、右ヨーク部３１ｃに設けたフラップ３１ｅで覆われているで、切れ目３１ｂをさらに目立ちにくくして、衣服１０を着たときの外観の違和感を軽減することができる。
【００４０】
さらに、着用者が安全帯を装着しているときには、非縫合領域３２ｃによって生じたヨーク部３１と後身頃部３３との間の隙間から、ランヤードＬを背面部３０の外部に引き出しておくことができる。ここで、一般的にランヤードＬの一端に取り付けられたフックＦや、他端に取り付けられてベルト部と連結するための連結具（不図示）は、紐状のランヤードＬよりも幅が広くなっている。そのため、フックＦや連結具を挿通可能とする開口幅は、ランヤードＬの幅寸法よりも大幅に広くする必要がある。つまり、従来の衣服のように、着脱時に背面部３０に形成した開口に対してランヤードＬを端部から挿通する必要がある場合には、開口幅をフックＦや連結具が挿通可能な長さに設定しなければならない。
しかしながら、実施例１の衣服では、非縫合領域３２ｃによって生じるヨーク部３１と後身頃部３３との間の隙間にランヤードＬを端部から挿通することがないため、非縫合領域３２ｃの身幅方向の幅を、ランヤードＬの幅寸法に対して大幅に広くする必要が低い。これにより、この非縫合領域３２ｃによるヨーク部３１と後身頃部３３との間の隙間を、フックＦや連結具が挿通可能な長さに設定した場合よりも小さくすることが可能になる。そのため、隙間からの空気漏れを抑制することができ、防寒や空調の性能向上を図ることができる。
【００４１】
また、この実施例１では、非縫合領域３２ｃの両側に、第１縫い目３２ａと第２縫い目３２ｂとの間をつなぎ、身丈方向に延びて、ヨーク部３１を後身頃３３に縫合する一対の第３縫い目３２ｄが設けられている。そのため、第１縫い目３２ａ及び第２縫い目３２ｂの端部が補強され、背面部３０の外部に引き出したランヤードＬが第１縫い目３２ａ及び第２縫い目３２ｂの端部に接触しても、この端部が破れたりほつれたりすることを防止できる。
【００４２】
そして、この実施例１の衣服１０では、フックＦが着脱可能に引っ掛けられるフック掛け部２６を、前面部２０に形成した胸ポケット２４から出し入れ可能に設けている。そのため、図３（ａ）に示すように、フック掛け部２６を胸ポケット２４から出しているときには、フック掛け部２６のＤ環２６ａにフックＦを掛けることができ、このフックＦやランヤードＬが着用者の邪魔になることを防止できる。一方、フック掛け部２６を使用しないときには、図３（ｂ）に示すように、このフック掛け部２６を胸ポケット２４に収納し、外部から見えなくすることができる。これにより、衣服１０の外観を一般的な衣服のように見せることができ、安全帯を装着していないときであっても、違和感なく着用することができる。
【００４３】
また、実施例１では、衣服１０の右前身頃部２１及び左前身頃部２２に、それぞれベルト通し穴２７が形成されている。
そのため、着用者がフルハーネス型の安全帯を装着したときには、この安全帯の胸ベルトＢを、このベルト通し穴２７を介して衣服１０の外部に引き出すことができ、衣服１０の外部で胸ベルトＢを連結することができる。これにより、衣服１０を着用したままであっても、胸ベルトＢの連結状態を確認することができ、安全帯の装着状態のチェックを容易に行うことができる。
【００４４】
特に、この実施例１では、ベルト通し穴２７が、胸ポケット２４の身幅方向中央側の側縁に沿って形成されている。そのため、胸ポケット２４によってベルト通し穴２７を覆うことができ、このベルト通し穴２７を目立たなくすることができる。これにより、衣服１０をさらに一般的な衣服のような外観にすることができる。
【００４５】
次に、効果を説明する。
実施例１の衣服１０にあっては、下記に列挙する効果を得ることができる。
【００４６】
(1) 着用者の背中を覆う背面部３０が、前記着用者の肩及び首回りを覆うヨーク部３１と、縫合部３２を介して前記ヨーク部３１の下部３１ａに連結された後身頃部３３と、を備え、
前記縫合部３２は、身幅方向に延在すると共に、前記ヨーク部３１と前記後身頃部３３とを縫合しない非縫合領域３２ｃを有し、
前記ヨーク部３１は、前記非縫合領域３２ｃに対応する位置に上端部から下端部まで通じる切れ目３１ｂが形成されると共に、前記切れ目３１ｂを開閉自在に係止する係止手段（第２スライドファスナー３４、スナップボタン３５）を有する構成とした。
これにより、ランヤードが連結状態の安全帯を装着したままであっても、容易に着脱することができる。
【００４７】
(2) 前記係止手段は、一対の後側ファスナーストリンガー３４ａ，３４ｂと、前記一対の後側ファスナーストリンガー３４ａ，３４ｂの対向縁に沿って移動するスライダー３４ｃと、を有し、前記一対の後側ファスナーストリンガー３４ａ，３４ｂに横引き力を加えたとき、一方の後側ファスナーストリンガー３４ａが前記スライダー３４ｃから分離されるクイックオープン式スライドファスナーとする構成とした。
これにより、(1)の効果に加え、スライダー３４ｃを引き下げることなく、衣服１０をさらに容易に脱ぐことができる。
【００４８】
(3) 前記ヨーク部３１は、前記切れ目３１ｂの近傍の上部位置に、少なくとも一部が前記ヨーク部３１の縁部から突出する補助脱衣具３７が設けられている構成とした。
これにより、(1)又は(2)の効果に加え、着用者は補助脱衣具３７を掴んで引っ張れば、係止手段である第２スライドファスナー３４やスナップボタン３５に対して適切な力を作用させて、これらを容易に外すことができ、さらに容易に脱ぐことができる。
【００４９】
(4) 前記着用者の胸及び腹を覆う前面部２０にポケット（胸ポケット２４）を設け、
フックＦが着脱可能に引っ掛けられるフック掛け部２６が、前記ポケット（胸ポケット２４）から出し入れ可能に設けられている構成とした。
これにより、フックＦが邪魔になることを防止しつつ、安全帯を装着していないときにはフック掛け部２６を収納し、一般的な衣服のような外観にすることができる。
【００５０】
（実施例２）
図５は、実施例２の衣服の背面部を示す平面図であり、図６は、実施例２の衣服の前面部を開いた状態を示す平面図である。以下、図５及び図６に基づいて、実施例２の衣服１０Ａの構成を説明する。
【００５１】
実施例２の衣服１０Ａは、実施例１と同様に着用者が上半身に着る上着（ジャンパー）である。この衣服１０Ａの前面部２０、一対の袖１１，１１、襟１２は、実施例１と同一の構成としているため、詳細な説明を省略する。一方、背面部４０は、着用者の肩及び首回りを覆うヨーク部４１と、縫合部４２を介してヨーク部４１の下部４１ａに連結された後身頃部４３と、を備えている。
【００５２】
ここで、縫合部４２は、ヨーク部４１の下部４１ａと後身頃部４３の上部４３ａとを、間に何も挟まない状態で直接縫い合わせている。また、この縫合部４２は、ヨーク部４１の下端縁の一部を後身頃部４３に固定する固定縫い目４２ａと、後身頃部４３の上端縁に沿った第２縫い目４２ｂと、を有している。
【００５３】
さらに、この縫合部４２の第２縫い目４２ｂは、身幅方向の中央部に、ヨーク部４１に対して後身頃部４３を縫合しない非縫合領域４２ｃが設けられている。この非縫合領域４２ｃにより、ヨーク部４１と後身頃部４３との間には隙間が生じている。また、固定縫い目４２ａは、非縫合領域４２ｃを挟んで一つずつ設けられており、非縫合領域４２ｃよりも身幅方向の外側に位置している。
【００５４】
そして、ヨーク部４１は、非縫合領域４２ｃに対応する位置（ここでは、身幅方向の中央部）に、上端部から下端部まで通じる切れ目４１ｂが形成され、この切れ目４１ｂにより、身幅方向の中央部から左右に分かれる右ヨーク部４１ｃ及び左ヨーク部４１ｄに分割可能になっている。なお、切れ目４１ｂは、ヨーク部４１の上端部に縫い付け固定された襟１２にも連続して形成され、襟１２も左右に分割可能になっている。
また、このヨーク部４１は、切れ目４１ｂを開閉自在に係止する第２スライドファスナー４４（係止手段）と、スナップボタン４５（係止手段）と、を有している。
【００５５】
一方、後身頃部４３の上端縁には、非縫合領域４２ｃに対応する位置（ここでは、身幅方向の中央部）に、裾１３側にへこんだ切欠部４３ｂが形成され、非縫合領域４２ｃによるヨーク部４１と後身頃部４３との間の隙間の開口面積が裾１３側に拡大されている。ここでは、切欠部４３ｂの両端が、第２縫い目４２ｂの端部につながっている。
【００５６】
また、この切欠部４３ｂの切込寸法Ｈ１は、第２縫い目４２ｂからヨーク部４１の下端部までの寸法Ｈ２よりも短く設定されている。さらに、図６に示すように、後身頃部４３の内側（裏側）には、切欠部４３ｂに沿って見返し布４６が縫い付けられている。なお、この見返し布４６と後身頃部４３との間に、芯材を挟んでもよい。
【００５７】
次に、実施例２の衣服１０Ａの作用について説明する。
この実施例２の衣服１０Ａでは、ヨーク部４１の下端縁が、固定縫い目４２ａによって一部（ここでは二か所）だけが後身頃部４３に固定されている。すなわち、実施例２の衣服１０Ａでは、実施例１の衣服１と異なり、非縫合領域４２ｃの両側に身丈方向に延びる一対の第３縫い目が設けられていない。
【００５８】
そのため、非縫合領域４２ｃによってヨーク部４１と後身頃部４３との間に生じた隙間からランヤードを引き出した際、ランヤードの動きが第３縫い目で規制されることがなくなり、ランヤードの可動範囲を拡大することができる。これにより、衣服１０Ａを着用したときの衣服１０Ａへのランヤードの引っ掛かり感を低減することができ、動きやすくすることができる。
【００５９】
また、この実施例２では、後身頃部４３の上端縁に裾１３側にへこんだ切欠部４３ｂが形成され、非縫合領域４２ｃによるヨーク部４１と後身頃部４３との間の隙間の開口面積が裾側に拡大されている。これにより、この隙間から引き出したランヤードが第２縫い目４２ｂの端部に接触したときに、第２縫い目４２ｂの端部に力を掛かりにくくして、第２縫い目４２ｂのほつれを防止することができる。
【００６０】
しかも、この実施例２では、後身頃部４３の内側（裏側）には、切欠部４３ｂに沿って見返し布４６が縫い付けられている。そのため、切欠部４３ｂの周囲が補強され、ほつれや破れをさらに防止することができる。
【００６１】
なお、この切欠部４３ｂの切込寸法Ｈ１が、第２縫い目４２ｂからヨーク部４１の下端部までの寸法Ｈ２よりも短く設定されているので、図５に示すように、第２スライドファスナー４４を閉めたとき、ヨーク部４１の下部４１ａによって切込部４３ｂを覆うことができる。そのため、非縫合領域４２ｃによるヨーク部４１と後身頃部４３との間の隙間からの空気の漏れを抑制することができる。
【００６２】
すなわち、実施例２の衣服１０Ａでは、以下の効果を得ることができる。
(5) 前記後身頃部４３の上端縁には、前記非縫合領域４２ｃに対応する位置に、裾１３側にへこんだ切欠部４３ｂが形成されている構成とした。
これにより、ヨーク部４１と後身頃部４３とを連結する縫合部４２のほつれを防止することができる。
【００６３】
以上、本発明の衣服１０を実施例１及び実施例２に基づき説明してきたが、具体的な構成については、これらの実施例に限られるものではなく、特許請求の範囲の各請求項に係る発明の要旨を逸脱しない限り、設計の変更や追加等は許容される。
【００６４】
実施例１では、縫合部３２に形成した非縫合領域３２ｃが、着用者の身幅方向の中央部に位置している例を示した。しかしながらこれに限らず、非縫合領域３２ｃを設ける位置は、身幅方向の中央部から左右にオフセットした位置に設定してもよい。
【００６５】
また、背面部３０の後身頃部３３等に、送風ファン等の温度調節器を取り付ける開口部を形成してもよい。
【００６６】
また、実施例１では、ヨーク部３１を開閉自在に係止する係止部材として、クイックオープン式スライドファスナーによって構成された第２スライドファスナー３４を用いる例を示したが、これに限らない。クイックオープン式スライドファスナーではない一般的なスライドファスナーや、面ファスナー、スナップボタン、ホック、マグネットボタン等であってもよい。
【００６７】
そして、実施例１では、補助脱衣具３７が、スナップボタン３５の上側ボタン３５ｃに設けられたリング部材とする例を示したが、これに限らない。例えば、第２スライドファスナー３４のスライダー３４ｃに設けられた紐や、スナップボタン３５に設けられた紐等であってもよい。また、ヨーク部３１や襟１２に対して、直接補助脱衣具３７を取り付けてもよい。
【００６８】
また、実施例２では、非縫合領域４２ｃの両側に身丈方向に延びる第３縫い目を設けない一方、後身頃部４３の上端縁に切欠部４３ｂを形成した例を示したが、これに限らない。例えば、第３縫い目と切欠部との両方を設けてもよい。
【符号の説明】
【００６９】
１０，１０Ａ  衣服
２０  前面部
２１  右前身頃部
２２  左前身頃部
２３  第１スライドファスナー
２４  胸ポケット
２６  フック掛け部
２６ａ  ベルト部材
２６ｂ  Ｄ環
３０，４０  背面部
３１，４１  ヨーク部
３１ａ，４１ａ  下部
３１ｂ，４１ｂ  切れ目
３２，４２  縫合部
３２ｃ，４２ｃ  非縫合領域
３３，４３  後身頃部
３４，４４  第２スライドファスナー
３５，４５  スナップボタン
【図１】
2019094587.tif 000003
【図２】
2019094587.tif 000004
【図３】
2019094587.tif 000005
【図４】
2019094587.tif 000006
【図５】
2019094587.tif 000007
【図６】
2019094587.tif 000008